(57)【特許請求の範囲】
【請求項１】
操作スイッチの操作に基づいて、電磁弁を開放し、吐水口から所定時間連続的に吐水する吐水装置において、
前記操作スイッチを設定時間以上押し続けると、前記所定時間よりも長い時間、前記電磁弁を開放して前記吐水口から連続的に吐水し、前記所定時間より長い時間経過後に自動的に該電磁弁を閉止させるように前記電磁弁を制御する制御手段を備えたことを特徴とする吐水装置。
【請求項２】
操作スイッチの操作に基づいて、電磁弁を開放し、吐水口から所定時間連続的に吐水する吐水装置において、
前記操作スイッチを第一設定時間以上押し続けると、該操作スイッチの操作に基づく前記電磁弁の開放を行わず、さらに該操作スイッチを第二設定時間以上押し続けると、前記所定時間よりも長い時間、前記電磁弁を開放して前記吐水口から連続的に吐水し、前記所定時間より長い時間経過後に自動的に該電磁弁を閉止させるように前記電磁弁を制御する制御手段を備えたことを特徴とする吐水装置。
【請求項３】
前記操作スイッチを設定した短時間内で離すと、前記電磁弁を開放し、前記吐水口から所定時間連続的に吐水するとともに、該操作スイッチを押し続けると、設定時間経過後、自動的に前記電磁弁を開放し、前記所定時間よりも長い時間、該電磁弁を開放して前記吐水口から連続的に吐水し、前記所定時間より長い時間経過後に自動的に該電磁弁を閉止させるように前記電磁弁を制御する制御手段を備えたことを特徴とする請求項１または請求項２に記載の吐水装置。
【発明の詳細な説明】
【技術分野】
【０００１】
本発明は、吐水装置に関するものである。
【背景技術】
【０００２】
従来、特許文献１に開示されているような自動水栓装置が存在する。
この自動水栓装置では、装置の設置時に電源を入れると、電磁弁を開放して、自動的に長時間吐水させ、温水器への貯水を自動で行うことができるように構成したものであり、装置の設置時に自動的に温水器への貯水を行うことで、温水器の空焚きを防げるものとしている。
【特許文献１】特開平８−３０２７７４号公報
【発明の開示】
【発明が解決しようとする課題】
【０００３】
上記特許文献１の自動水栓装置では、例えば、停電などで電源を再投入したような場合にも、自動的に温水器への貯水を行うため、温水器に溜めなくても良い水を供給してしまうこととなり、不具合が生ずる場合があった。
なお、一般的に、温水器の空焚きを防ぐためには、電気温水器のスイッチを入れる前に温水器を満水にさせる必要があるが、従来では、自動水栓のスイッチを押すか、またはセンサーに手をかざして電磁弁を開放させても、電磁弁の開放時間は１分程度であり、何回もスイッチを押すか、センサーに手をかざさないと、温水器を満水にさせることができず、満水にさせるための作業に手間が掛かってしまうという問題点があった。
【課題を解決するための手段】
【０００４】
本発明は、操作スイッチを何度も押さなくても、長時間連続的に吐水させて、温水タンク等に大量の水を溜めることのできる吐水装置の提供を目的の１つとし、その目的の少なくとも一部を達成するために以下の手段を採った。
本発明は、操作スイッチの操作に基づいて、電磁弁を開放し、吐水口から所定時間連続的に吐水する吐水装置において、前記操作スイッチを設定時間以上押し続けると、前記所定時間よりも長い時間、前記電磁弁を開放して前記吐水口から連続的に吐水し、前記所定時間より長い時間経過後に自動的に該電磁弁を閉止させるように前記電磁弁を制御する制御手段を備えたことを要旨とする。
【発明の効果】
【０００５】
操作スイッチを設定時間以上押し続けると、長い時間連続的に吐水させることができるため、操作スイッチを何度も押さなくても、長時間連続的に吐水させて大量の水を溜めるなどの作業が行いやすいものとなる。また、長時間連続的に吐水させた後に自動的に電磁弁を閉止させて吐水を停止させることができる。
【０００６】
また、本発明は、操作スイッチの操作に基づいて、電磁弁を開放し、吐水口から所定時間連続的に吐水する吐水装置において、前記操作スイッチを第一設定時間以上押し続けると、該操作スイッチの操作に基づく前記電磁弁の開放を行わず、さらに該操作スイッチを第二設定時間以上押し続けると、前記所定時間よりも長い時間、前記電磁弁を開放して前記吐水口から連続的に吐水し、前記所定時間より長い時間経過後に自動的に該電磁弁を閉止させるように前記電磁弁を制御する制御手段を備えた構成とすることもできる。
こうすれば、操作スイッチを第一設定時間以上押し続けると吐水せず、さらに操作スイッチを押し続けると、所定時間よりも長い時間連続的に吐水させることができるため、操作スイッチを何度も押さなくても長時間連続的に吐水させて、大量の水を溜めるなどの作業が行いやすいものとなる。
さらに、操作スイッチを長押ししても吐水せず、更に長押しすることで長時間の連続吐水となるため、短時間吐水と長時間吐水の区別がつきやすく、どれだけ操作スイッチを長押しすれば長時間吐水となるのかを使用者が判断しやすいものとなる。
【０００７】
また、本発明の吐水装置において、前記操作スイッチを設定した短時間内で離すと、前記電磁弁を開放し、前記吐水口から所定時間連続的に吐水するとともに、該操作スイッチを押し続けると、設定時間経過後、自動的に前記電磁弁を開放し、前記所定時間よりも長い時間、該電磁弁を開放して前記吐水口から連続的に吐水し、前記所定時間より長い時間経過後に自動的に該電磁弁を閉止させるように前記電磁弁を制御する制御手段を備えた構成とすることもできる。
こうすれば、短時間で操作スイッチから手を離すと、短い時間の吐水を開始する。一方、操作スイッチを押し続けると、自動的に長時間吐水が開始する。このため、短時間吐水と長時間吐水の区別がつきやすくなり、必要以上に使用者が長押しを続ける必要がなくなり、使い勝手が良好なものとなる。
【発明を実施するための最良の形態】
【０００８】
次に、本発明を実施するための最良の形態を実施例を用いて説明する。
図１は、吐水装置の設置状態の概略配置構成図であり、図２は、吐水装置の機能部材のブロック構成図である。
吐水装置１は、自動水栓２と電気温水器３とを備えており、自動水栓２は、吐水口２ｂを有する吐水パイプ２ａと、電磁弁７ａ，７ｂおよび制御基板８などの機能部で構成されており、この自動水栓２の機能部は、本例では電気温水器３のケース内に組み込まれた構成となっている。
【０００９】
自動水栓２は図３に示すように、カウンター１９に設けられた洗面器４の取付け面４ａに台座２ｃを介して取付け固定されており、吐水パイプ２ａの上端は逆Ｕ字状のグースネック形状に形成され、その先端に下向きに吐水口２ｂが設けられている。
また、図４に示すように、吐水口２ｂの付近にセンサー２１が設けられており、このセンサー２１は光電式であり、発光部２１ａと受光部２１ｂで構成され、発光部２１ａからの光が人体により反射されると受光部２１ｂで受光し、受光部２１ｂが受光することにより人体検知が行われ、人体を検知すると、電磁弁７ａまたは７ｂを開放させて、吐水口２ｂから吐水できるように構成されている。
【００１０】
なお、電気温水器３には、外部から給水管１０が接続されており、給水管１０から、水路Ｒ内に設けられたフィルター１１および定流量弁１２を通って水道水が水路Ｒ１，Ｒ２に分岐されるように構成され、分岐された水路Ｒ１，Ｒ２にそれぞれ電磁弁７ａ，７ｂが設けられている。また、水路Ｒ２は貯湯タンク６の底側に連通されており、貯湯タンク６内に水を溜めることができるものである。貯湯タンク６内にはヒーター６ａが設けられており、内部で水を加熱して湯にすることができ、貯湯タンク６の上端には生成された湯が流出する湯路Ｒ４が接続され、湯路Ｒ４と、電磁弁７ｂの下流側から分岐された水路Ｒ３の交差する部位に温調弁９が設けられて、この温調弁９で、水路Ｒ３側からの水と湯路Ｒ４側からの湯が混合され、給湯管１５を通り吐水パイプ２ａへ供給されるように構成されている。給湯管１５内にはアスピレーター１３と逆止弁１４が設けられている。
【００１１】
なお、電磁弁７ａ，７ｂを制御するために制御基板８が設けられており、制御基板８と電磁弁７ａ，７ｂとはそれぞれコード１７ｂ，１７ｃで接続されている。また、制御基板８と自動水栓２のセンサー２１がコード１７ａで接続されている。
なお、この制御基板８および貯湯タンク６のヒーター６ａに電気を供給するために電源コード１６が設けられ、この電源コード１６は１個のコンセント１８に接続できるように構成されている。
【００１２】
なお、貯湯タンク６には、内部の湯温を適温に調整するための温調バイメタルと過昇バイメタルが設けられており、さらにスイッチ６ｂが設けられている。
なお、図１中５は、洗面器４の排水口に接続された排水管である。
また、自動水栓２の台座２ｃには操作スイッチ２０が設けられており、この操作スイッチ２０は、吐水口２ｂからの出水と止水を切り替えるＯＮ，ＯＦＦスイッチ２０ａと、吐水口２ｂから吐出される湯と水の切り替え用の切替スイッチ２０ｂで構成されている。
なお、図３中２ｄは、ポップアップ排水栓を操作するための引き棒である。
【００１３】
このような構成において、前記制御基板８内に格納されている制御プログラムの一例を図５のフローチャートで説明する。
なお、切替スイッチ２０ｂが水側となっている場合には、ＯＮ，ＯＦＦスイッチ２０ａを押すと、電磁弁７ａが開放され、電磁弁７ｂは閉じられた状態となり、給水管１０からの水が水路Ｒから水路Ｒ１に流れ、更に給湯管１５を通り吐水パイプ２ａに供給されるのである。また、切替スイッチ２０ｂが湯側に切り替えられた状態では、ＯＮ，ＯＦＦスイッチ２０ａを押すと、電磁弁７ａは閉じられて、電磁弁７ｂが開放され、水路Ｒからの水が水路Ｒ２を流れて貯湯タンク６内に入り、ヒーター６ａで加熱され、湯路Ｒ４からの湯と水路Ｒ３からの水とが温調弁９で混合されて、適温となった湯が給湯管１５から吐水パイプ２ａに供給されるものである。
【００１４】
なお、図５のフローチャートでは、切替スイッチ２０ｂが水側に切り替えられている場合、即ち電磁弁７ａが開制御される場合について説明する。
なお、切替スイッチ２０ｂが湯側に切り替えられている場合には、図５のフローチャートは電磁弁７ｂの開制御となる。
【００１５】
図５において、ステップＳ１でＯＮ，ＯＦＦスイッチ２０ａが押されると、ステップＳ２において、ＯＮ，ＯＦＦスイッチ２０ａから２秒以内に手が離されたか否かが判定され、例えば１秒程度でＯＮ，ＯＦＦスイッチ２０ａから手が離れた時には、ステップＳ３において、制御基板８からの駆動信号で電磁弁７ａを自動的に開放させて、吐水口２ｂから吐水を開始する。
なお、この場合、ステップＳ４で再度ＯＮ，ＯＦＦスイッチ２０ａが押された場合には、電磁弁７ａを閉止させて、吐水口２ｂからの吐水を停止させる。再度ＯＮ，ＯＦＦスイッチ２０ａが押されなかった場合には、吐水口２ｂからの吐水が連続的に行われ、ステップＳ５において、１分経過後に電磁弁７ａが閉じられて吐水が停止される。
【００１６】
なお、ステップＳ２で、２秒以上ＯＮ，ＯＦＦスイッチ２０ａが押し続けられている場合には、ステップＳ６において、６秒未満でＯＮ，ＯＦＦスイッチ２０ａから手が離れたかどうかを判定し、６秒未満にスイッチ２０ａから手が離された時には、電磁弁７ａは閉じたままで吐水口２ｂからの吐水は行われない。
更にステップＳ７において、ＯＮ，ＯＦＦスイッチ２０ａが６秒経過しても押され続けている時には、ステップＳ８において電磁弁７ａを開放させて、自動的に吐水口２ｂからの吐水を開始する。吐水が開始されて、その後にステップＳ９でＯＮ，ＯＦＦスイッチ２０ａから手が離れ、ステップＳ１０で、再度ＯＮ，ＯＦＦスイッチ２０ａが押された時には、電磁弁７ａを閉止させて、吐水口２ｂからの吐水を停止させる。
なお、再度ＯＮ，ＯＦＦスイッチ２０ａが押されなかった場合には、連続的に吐水口２ｂからの吐水を継続させ、ステップＳ１１で１０分が経過した時に、ステップＳ１２において電磁弁７ａを閉止させ、吐水口２ｂからの吐水を停止させる。
【００１７】
このような制御では、２秒未満の短い時間でＯＮ，ＯＦＦスイッチ２０ａから手を離せば、１分間の吐水が自動的に開始され、６秒以上ＯＮ，ＯＦＦスイッチ２０ａを押し続けると１０分間の吐水が自動的に開始されることとなり、１０分間の吐水では大量の水をバケツ等に溜めることができ、また、吐水装置１の施工時等に、切替スイッチ２０ｂが湯側に切り替えられている状態でＯＮ，ＯＦＦスイッチ２０ａを６秒以上押し続ければ、電磁弁７ｂが１０分間開かれて、貯湯タンク６内を良好に満水状態とすることができ、貯湯タンク６の空焚きを良好に防止できるものとなる。
【００１８】
なお、本例では、ステップＳ６において２秒〜６秒未満でＯＮ，ＯＦＦスイッチ２０ａから手を離した時には全く吐水が行われないため、使用者はどれだけＯＮ，ＯＦＦスイッチ２０ａを長押しし続ければ１０分間の長時間吐水になるのかを判断しやすくなり、ＯＮ，ＯＦＦスイッチ２０ａを押してから６秒以上経ったか否かが使用者に明瞭に判り、１分間の短時間吐水と１０分間の長時間吐水の区別が付きやすくなる。
【００１９】
なお、本例では、ＯＮ，ＯＦＦスイッチ２０ａを手で押して操作する場合を例示しているが、ＯＮ，ＯＦＦスイッチ２０ａをＯＮ状態としておき、吐水口２ｂの下側に手を差し出してセンサー２１で手を感知させて操作する場合にも、同様にセンサー２１で手が感知された時間が２秒未満であれば自動的に１分間吐水が開始され、６秒間以上手が検知された場合には１０分間吐水が自動的に開始されるものであり、２秒〜６秒の間で手をセンサー２１から遠のければ吐水は行われないものとなる。
即ち、図５のフローチャートで示す制御は、センサー２１が設けられている自動水栓２についても適用することができるものである。
【００２０】
次に、図６のフローチャートでは、制御基板８内に格納される制御プログラムの変更例を示す。
図６のフローチャートに示す制御では、ステップＳ１でＯＮ，ＯＦＦスイッチ２０ａを押すと、ステップＳ２において２秒未満でＯＮ，ＯＦＦスイッチ２０ａから手が離れたか否かを判定し、２秒未満でＯＮ，ＯＦＦスイッチ２０ａから手が離れた時には、ステップＳ３において電磁弁７ａを開放させて自動的に吐水口２ｂから吐水を行わせ、ステップＳ５で１分間経過するまで吐水口２ｂから１分間吐水が行われる。
なお、この１分間吐水が終了する前に、ステップＳ４で再度ＯＮ，ＯＦＦスイッチ２０ａが押された時には、電磁弁７ａを閉止させて、吐水口２ｂからの吐水を停止させる。
【００２１】
ステップＳ２において２秒以上ＯＮ，ＯＦＦスイッチ２０ａが押し続けられている時には、ステップＳ６において電磁弁７ａを自動的に開放させ、ステップＳ８の１０分間が経過するまで吐水口２ｂから吐水を連続的に行う。なお、１０分間経過前に再度ＯＮ，ＯＦＦスイッチ２０ａがステップＳ７で押された時には、電磁弁７ａを閉止させて吐水を停止させる。
なお、ステップＳ８で１０分間経過した時には、ステップＳ９で電磁弁７ａを閉止させる。
【００２２】
この図６のフローチャートで示す制御では、２秒以上ＯＮ，ＯＦＦスイッチ２０ａを長押しすると１０分間吐水となり、２秒以内でＯＮ，ＯＦＦスイッチ２０ａから手を離せば１分間吐水となり、制御構成が単純化できる。
なお、従来のような１分間程度の短時間吐水しかない吐水装置では、ＯＮ，ＯＦＦスイッチ２０ａを何回も押さないと、貯湯タンク６を満水状態にしたり、バケツ等に水を大量に溜めることはできなかったが、２秒以上ＯＮ，ＯＦＦスイッチ２０ａを押し続ければ１０分間の長時間吐水を連続的に行わせることができるために、大量の水を溜める作業が行いやすいものとなる。
【００２３】
次に、図７にフローチャートで示す制御プログラムは、更に変更したプログラムであり、このようなプログラムを制御基板８内に格納しておくこともできる。
即ち、図７に示すプログラムでは、ステップＳ１においてＯＮ，ＯＦＦスイッチ２０ａを押すと、ステップＳ２において、２秒未満でＯＮ，ＯＦＦスイッチ２０ａから手が離れたか否かが判定され、２秒未満でＯＮ，ＯＦＦスイッチ２０ａから手が離れた場合は、ステップＳ３で自動的に電磁弁７ａが開放されて、ステップＳ５に至る１分経過まで自動的に吐水口２ｂから吐水が連続的に行われる。なお、１分間経過する前に再度ＯＮ，ＯＦＦスイッチ２０ａが押された時には、ステップＳ４でこれを判定して電磁弁７ａを閉じ、吐水口２ｂからの吐水を停止させる。
なお、ステップＳ２で２秒以上ＯＮ，ＯＦＦスイッチ２０ａが押し続けられている時には、更にステップＳ６において、２秒以上６秒未満でＯＮ，ＯＦＦスイッチ２０ａから手が離れたか否かが判定され、２秒以上押され、かつ６秒未満でＯＮ，ＯＦＦスイッチ２０ａから手が離れた時には、電磁弁７ａ，７ｂは閉じられたままで吐水口２ｂからの吐水は全く行われない。
【００２４】
さらにステップＳ７で６秒間経過したか否かが判定され、６秒以上ＯＮ，ＯＦＦスイッチ２０ａが押し続けられ、６秒経過した後に、ステップＳ８でＯＮ，ＯＦＦスイッチ２０ａから手が離れた場合には、ステップＳ９で自動的に電磁弁７ａが開放されて吐水口２ｂから吐水が開始され、ステップＳ１１で１０分間経過するまで吐水口２ｂからの吐水が連続して行われる。
なお、１０分間経過する前に再度ＯＮ，ＯＦＦスイッチ２０ａが押された時には、直ちに電磁弁７ａが閉じられて吐水が停止される。なお、１０分間連続して吐水が行われた後には、１０分経過後にステップＳ１２で電磁弁７ａが自動的に閉じられる。
【００２５】
この図７のプログラムでは、２秒未満でＯＮ，ＯＦＦスイッチ２０ａから手を離せば、吐水口２ｂから１分間吐水が自動的に行われ、６秒以上ＯＮ，ＯＦＦスイッチ２０ａが押し続けられた後にＯＮ，ＯＦＦスイッチ２０ａから手が離された時には、自動的に吐水口２ｂから１０分間連続して吐水が行われるように構成したものであり、しかも２秒〜６秒未満でＯＮ，ＯＦＦスイッチ２０ａから手を離した時は吐水が全く行われないために、使用者は、吐水が開始されることで、６秒以上経過した後にＯＮ，ＯＦＦスイッチ２０ａから手を離したことが容易に判り、しかも、吐水が開始されれば、それは１０分間の長時間の吐水であることが容易に判断できるため、吐水口２ｂからの吐水が短時間吐水であるか長時間吐水であるかの区別が容易なものとなる。
【００２６】
なお、本例においても、１０分間の長時間吐水によりバケツ等に大量の水を溜めることができ、ＯＮ，ＯＦＦスイッチ２０ａを従来のように何度も押す必要がなく、大量の水を溜める作業を容易に行うことができるものである。
また、吐水装置１の施工時等では、電磁弁７ｂを１０分間開けて、貯湯タンク６内が満水状態となるまで貯湯タンク６内に水を溜めることができ、空焚きを良好に防ぐことができるものとなる。
【００２７】
なお、上記実施例では、電気温水器３のケース内に自動水栓の機能部が組み込まれた構造のものを例示しているが、図８の設置状態図で、また図９のブロック構成図で示すように、電気温水器３と自動水栓２の機能部３Ａが別体となっている構造の吐水装置についても、その制御基板８内には、図５に示す制御プログラム、或いは図６に示す制御プログラム、或いは図７に示す制御プログラムの何れかを格納しておくことができるものである。
【００２８】
なお、図８および図９に示す吐水装置１では、電気温水器３内の貯湯タンク６のヒーター６ａに電源を供給するための電源コード１６ａと、自動水栓の機能部３Ａ内の制御基板８および電磁弁７に電力を供給するための電源コード１６ｂを、それぞれコンセント１８に接続する必要がある。
【００２９】
なお、図９において、電気温水器３には外部から給水管１０が接続され、給水管１０と連通した水路内にはフィルター１１，減圧弁２２，逆止弁２３が設けられ、また、貯湯タンク６から出湯される湯と水を混合して適温とする温調弁９が電気温水器３内に内蔵されている。
また、電気温水器３から自動水栓の機能部３Ａ内に適温の湯が水路を通り供給されるように構成されており、機能部３Ａ内の水路内にはフィルター１１と定流量弁１２が設けられ、機能部３Ａ内には電磁弁７とこれを開閉制御する制御基板８が設けられており、電磁弁７から給湯管１５を通して、自動水栓２の吐水パイプ２ａに湯が供給されるように構成されている。
【図面の簡単な説明】
【００３０】
【図１】吐水装置の設置状態図である。
【図２】図１の吐水装置の機能部のブロック構成図である。
【図３】洗面器に取り付けられた自動水栓の斜視構成図である。
【図４】自動水栓の吐水口側の拡大斜視構成図である。
【図５】制御基板内に格納された吐水制御プログラムのフローチャート図である。
【図６】さらに異なる吐水制御プログラムのフローチャート図である。
【図７】さらに異なる吐水制御プログラムのフローチャート図である。
【図８】電気温水器と自動水栓の機能部が別体となっている吐水装置の設置状態図である。
【図９】図８の吐水装置の機能部のブロック構成図である。
【符号の説明】
【００３１】
１  吐水装置
２  自動水栓
２ａ  吐水パイプ
２ｂ  吐水口
２ｃ  台座
３  電気温水器
３Ａ  自動水栓機能部
４  洗面器
６  貯湯タンク
６ａ  ヒーター
７，７ａ，７ｂ  電磁弁
８  制御基板
９  温調弁
１０  給水管
１５  給湯管
１６  電源コード
２０ａ  ＯＮ，ＯＦＦスイッチ
２０ｂ  湯と水の切替スイッチ
２１  センサー
２１ａ  発光部
２１ｂ  受光部
【図１】
0005258373.tif 000002
【図２】
0005258373.tif 000003
【図３】
0005258373.tif 000004
【図４】
0005258373.tif 000005
【図５】
0005258373.tif 000006
【図６】
0005258373.tif 000007
【図７】
0005258373.tif 000008
【図８】
0005258373.tif 000009
【図９】
0005258373.tif 000010